(57)【要約】【課題】高精度に圧延材の巻取温度を制御する。【解決手段】圧延材巻取温度制御装置１００は、複数の冷却ヘッダー１５７に開閉を指示するヘッダー開閉パターンを出力するヘッダー開閉パターン出力部１３５と、鋼板１５１の長手方向に沿って所定長で区分されたそれぞれの制御セクションに対応付けてヘッダー開閉パターン設定する開閉パターンプリセット部１１２と、巻取温度収集部１４０により取得された前回長手方向実績巻取温度が長手方向目標巻取温度に対し、長手方向にずれているずれの長さから冷却ヘッダー１５７のヘッダー開放応答遅延時間を算出するヘッダー開放応答遅延算出部１３１と、を備え、ヘッダー開閉パターン出力部１３５は、ヘッダー開閉パターンを、そのヘッダー開閉パターンに対応付けられた制御セクションが冷却ヘッダー１５７の位置に到達するタイミングよりも、前記算出したヘッダー開放応答遅延時間分前のタイミングで出力する。【選択図】図１
2015066587.tif 000002
【特許請求の範囲】
【請求項１】
圧延機と前記圧延機により圧延された圧延材を巻き取る圧延材巻取装置との間に、前記圧延材の長手方向に沿って設けられた複数の冷却ヘッダーに対し、前記冷却ヘッダーの開放または閉鎖を指示するデータであるヘッダー開閉パターンを出力するヘッダー開閉パターン出力部と、
前記圧延材が長手方向に所定の長さの単位で区分されたそれぞれの制御セクションについて、そのそれぞれの制御セクションに対するヘッダー開閉パターンを設定する開閉パターンプリセット部と、
前記圧延材が前記圧延材巻取装置に巻き取られるときの前記圧延材の温度を収集する巻取温度収集部と、
前記巻取温度収集部によって収集された前回圧延された圧延材の長手方向実績巻取温度が予め設定された圧延材の長手方向目標巻取温度に対し、前記圧延材の長手方向にずれているずれの長さを求め、前記ずれの長さおよび前記圧延材の移動速度に基づき、前記冷却ヘッダーのヘッダー応答遅延時間を算出するヘッダー応答遅延算出部と、
を備え、
前記ヘッダー開閉パターン出力部は、
前記ヘッダー開閉パターンを前記冷却ヘッダーに出力するときには、そのヘッダー開閉パターンに対応付けられた前記圧延材の制御セクションが前記冷却ヘッダーの設置位置に到達するタイミングよりも、前記算出したヘッダー応答遅延時間分前のタイミングで、前記ヘッダー開閉パターンを前記冷却ヘッダーへ出力すること
を特徴とする圧延材巻取温度制御装置。
【請求項２】
前記ヘッダー応答遅延算出部は、
前記圧延材の先端部または尾端部における前記長手方向実績巻取温度および前記長手方向目標巻取温度について、その一方を前記圧延材の長手方向の前方または後方にずらしながら両者の相関係数を算出し、その算出された相関係数が最大となるときの両者のずれの長さを、前記長手方向実績巻取温度が前記長手方向目標巻取温度に対してずれているずれの長さとして求め、前記ヘッダー応答遅延時間を算出すること
を特徴とする請求項１に記載の圧延材巻取温度制御装置。
【請求項３】
前記ヘッダー応答遅延算出部は、
前記圧延材の先端部における前記長手方向実績巻取温度および前記長手方向目標巻取温度に基づき、前記冷却ヘッダーの開放を指示するときのヘッダー応答遅延時間であるヘッダー開放応答遅延時間を取得し、
前記圧延材の尾端部における前記長手方向実績巻取温度および前記長手方向目標巻取温度に基づき、前記冷却ヘッダーの閉鎖を指示するときのヘッダー応答遅延時間であるヘッダー閉鎖応答遅延時間を取得すること
を特徴とする請求項１に記載の圧延材巻取温度制御装置。
【請求項４】
前記ヘッダー開閉パターン出力部は、
前記冷却ヘッダーに前記ヘッダー開閉パターンを出力する場合には、前記ヘッダー開閉パターンで開放が指示されている前記冷却ヘッダーと、前記ヘッダー開閉パターンで閉鎖が指示されている前記冷却ヘッダーとで、互いに別々のタイミングで前記ヘッダー開閉パターンを出力すること
を特徴とする請求項３に記載の圧延材巻取温度制御装置。
【請求項５】
圧延機と前記圧延機により圧延された圧延材を巻き取る圧延材巻取装置との間に前記圧延材の長手方向に沿って設けられた複数の冷却ヘッダーから冷却水を放出させて前記圧延材を冷却する冷却装置における圧延材巻取温度制御方法であって、
前記冷却装置を制御する制御装置は、
前記圧延材が長手方向に所定の長さの単位で区分されたそれぞれの制御セクションについて、そのそれぞれの制御セクションに対する前記冷却ヘッダーの開放または閉鎖を指示するデータであるヘッダー開閉パターンを設定する開閉パターンプリセット処理と、
前記圧延材が前記圧延材巻取装置に巻き取られるときの前記圧延材の温度を収集する巻取温度収集処理と、
前記巻取温度収集処理によって収集された前回圧延された圧延材の長手方向実績巻取温度が予め設定された圧延材の長手方向目標巻取温度に対し、前記圧延材の長手方向にずれているずれの長さを求め、前記ずれの長さおよび前記圧延材の移動速度に基づき、前記冷却ヘッダーのヘッダー応答遅延時間を算出するヘッダー応答遅延算出処理と、
前記開閉パターンプリセット処理で設定された前記ヘッダー開閉パターンを前記冷却ヘッダーへ出力するときには、前記出力するヘッダー開閉パターンに対応付けられた前記圧延材の制御セクションが前記冷却ヘッダーの設置位置に到達するタイミングよりも、前記算出したヘッダー応答遅延時間分前のタイミングで、前記ヘッダー開閉パターンを前記冷却ヘッダーへ出力するヘッダー開閉パターン出力処理と、
を実行すること
を特徴とする圧延材巻取温度制御方法。
【請求項６】
前記制御装置は、
前記ヘッダー応答遅延算出処理において、
前記圧延材の先端部または尾端部における前記長手方向実績巻取温度および前記長手方向目標巻取温度について、その一方を前記圧延材の長手方向の前方または後方にずらしながら両者の相関係数を算出し、その算出された相関係数が最大となるときの両者のずれの長さを、前記長手方向実績巻取温度が前記長手方向目標巻取温度に対してずれているずれの長さとして求め、前記ヘッダー応答遅延時間を算出すること
を特徴とする請求項５に記載の圧延材巻取温度制御方法。
【請求項７】
前記制御装置は、
前記ヘッダー応答遅延算出処理において、
前記圧延材の先端部における前記長手方向実績巻取温度および前記長手方向目標巻取温度に基づき、前記冷却ヘッダーの開放を指示するときのヘッダー応答遅延時間であるヘッダー開放応答遅延時間を取得し、
前記圧延材の尾端部における前記長手方向実績巻取温度および前記長手方向目標巻取温度に基づき、前記冷却ヘッダーの閉鎖を指示するときのヘッダー応答遅延時間であるヘッダー閉鎖応答遅延時間を取得すること
を特徴とする請求項５に記載の圧延材巻取温度制御方法。
【請求項８】
前記制御装置は、
前記ヘッダー開閉パターン出力処理において、
前記冷却ヘッダーに前記ヘッダー開閉パターンを出力する場合には、前記ヘッダー開閉パターンで開放が指示されている前記冷却ヘッダーと、前記ヘッダー開閉パターンで閉鎖が指示されている前記冷却ヘッダーとで、互いに別々のタイミングで前記ヘッダー開閉パターンを出力すること
を特徴とする請求項７に記載の圧延材巻取温度制御方法。
【発明の詳細な説明】
【技術分野】
【０００１】
本発明は、鋼板などの圧延材を圧延する圧延ラインで用いられる圧延材巻取温度制御装置および圧延材巻取温度制御方法に関する。
【背景技術】
【０００２】
圧延ラインにおいて圧延材をコイル状に巻き取るときの温度を目標温度に制御する技術として、特許文献１、２などに開示されたものがある。例えば、特許文献１によれば、仕上げ圧延機出側および巻取装置の各位置で圧延材の速度、温度などが計測され、その計測データに応じて注水バンクパターンが随時設定されるとともに、その注水バンクパターンに基づく注水により圧延材が冷却され、巻取温度が制御される。この場合、圧延材を冷却する注水バンクパターンは、圧延材が圧延され、巻き取られるときの速度や温度に応じてダイナミックに変更されるので、圧延速度などが変動しても精度の高い巻取温度制御が可能になる。
【０００３】
また、特許文献２には、圧延速度が所定のパターンで変化するような場合でも精度の高い巻取温度制御を確保できるように、仕上げ圧延速度などに基づき注水バンク位置での圧延材の速度を予測するとともに、その予測速度や仕上げ出側温度、板厚などの実績データに基づき、適切な冷却水量、注水バンクパターン、注水バンク開閉タイミングなどを計算することが記載されている。
【先行技術文献】
【特許文献】
【０００４】
【特許文献１】特開平７−１６６３５号公報
【特許文献２】特開平８−１６８８０４号公報
【発明の概要】
【発明が解決しようとする課題】
【０００５】
冷却バンクが注水の指示を受けた後、注水バルブが開けられ、冷却ヘッダーから注水され、所定の強度の注水が圧延材に届き、所定の冷却効果が現れるまでの遅れ時間は、しばしば、冷却ヘッダー応答遅延時間（または、単に、応答遅延）と呼ばれる。一般に、この冷却ヘッダー応答遅延時間は、冷却水タンク内の水量や水位に起因して時間の経過とともに緩やかに変化し、必ずしも一定ではない。
【０００６】
特許文献１、２に開示された圧延材の巻取温度を制御する技術においては、この冷却ヘッダー応答遅延時間ついて一応考慮されている。しかしながら、そのいずれにおいても、冷却ヘッダー応答遅延時間が緩やかな時間の経過とともに変化することについては、とくには考慮されておらず、固定値であるとみなされている。そのため、冷却ヘッダー応答遅延時間が変化することにより、圧延材の冷却開始タイミングが前後することになり、その結果として、圧延材の巻取温度制御の精度が低下することになる。
【０００７】
以上のような従来技術の問題点に鑑み、本発明の目的は、冷却ヘッダー応答遅延時間が時間の経過とともに変化しても、高精度に圧延材の巻取温度を制御することが可能な圧延材巻取温度制御装置および圧延材巻取温度制御方法を提供することにある。
【課題を解決するための手段】
【０００８】
本発明に係る圧延材巻取温度制御装置は、圧延機と前記圧延機により圧延された圧延材を巻き取る圧延材巻取装置との間に、前記圧延材の長手方向に沿って設けられた複数の冷却ヘッダーに対し、前記冷却ヘッダーの開放または閉鎖を指示するデータであるヘッダー開閉パターンを出力するヘッダー開閉パターン出力部と、前記圧延材が長手方向に所定の長さの単位で区分されたそれぞれの制御セクションについて、そのそれぞれの制御セクション対するヘッダー開閉パターンを設定する開閉パターンプリセット部と、前記圧延材が前記圧延材巻取装置に巻き取られるときの前記圧延材の温度を収集する巻取温度収集部と、前記巻取温度収集部によって収集された前回圧延された圧延材の長手方向実績巻取温度が予め設定された圧延材の長手方向目標巻取温度に対し、前記圧延材の長手方向にずれているずれの長さを求め、前記ずれの長さおよび前記圧延材の移動速度に基づき、前記冷却ヘッダーのヘッダー応答遅延時間を算出するヘッダー応答遅延算出部と、を備え、前記ヘッダー開閉パターン出力部は、前記ヘッダー開閉パターンを前記冷却ヘッダーに出力するときには、そのヘッダー開閉パターンに対応付けられた前記圧延材の制御セクションが前記冷却ヘッダーの設置位置に到達するタイミングよりも、前記算出したヘッダー応答遅延時間分前のタイミングで、前記ヘッダー開閉パターンを前記冷却ヘッダーへ出力することを特徴とする。
【発明の効果】
【０００９】
本発明によれば、冷却ヘッダー応答遅延時間が時間の経過とともに変化しても、高精度に圧延材の巻取温度を制御することが可能な圧延材巻取温度制御装置および圧延材巻取温度制御方法を提供することができる。
【図面の簡単な説明】
【００１０】
【図１】本発明の実施形態に係る圧延材巻取温度制御装置およびその制御対象である圧延材巻取温度調整ラインの構成の例を模式的に示した図。
【図２】目標巻取温度記憶部に格納されている目標巻取温度データの構成の例を示した図。
【図３】Ｕパターン記憶部に格納されているＵパターンデータの構成の例を示した図。
【図４】Ｕパターンデータに基づき決定される長手方向目標巻取温度の長手方向の温度プロファイルの例を示した図。
【図５】長手方向目標巻取温度記憶部に記憶される長手方向目標巻取温度データの構成の例を示した図。
【図６】ヘッダー開閉パターン記憶部に記憶されるヘッダー開閉パターンデータの構成の例を示した図。
【図７】長手方向実績巻取温度記憶部に格納されている前回長手方向実績巻取温度１４１ａの構成の例を示した図。
【図８】長手方向目標巻取温度および長手方向実績巻取温度の長手方向の温度プロファイルの例を示した図。
【図９】圧延実績データ記憶部に格納されている前回圧延実績データの構成の例を示した図。
【図１０】鋼板の先端部における長手方向目標巻取温度と前回長手方向実績巻取温度の関係の第１の例（ケース１）を示した図。
【図１１】鋼板の先端部における長手方向目標巻取温度と前回長手方向実績巻取温度の関係の第２の例（ケース２）を示した図。
【図１２】ヘッダー開放応答遅延時間が大きい場合にヘッダー開放応答遅延算出部により実行される処理の流れの例を示した図。
【図１３】ヘッダー開閉パターン出力部により実行される処理の流れの例を示した図。
【図１４】鋼板の先端部および尾端部にＵパターン領域を設けずに無注水領域を設けた場合の長手方向目標巻取温度の例を示した図。
【図１５】鋼板の先端部および尾端部に設けたＵパターン領域の一部に無注水領域を設けた場合の長手方向目標巻取温度の例を示した図。
【図１６】ヘッダー開放応答遅延記憶部に記憶される層別化されたヘッダー開放応答遅延データの例を示した図。
【発明を実施するための形態】
【００１１】
以下、本発明を実施するための形態（以下「実施形態」という）について、図面を参照して詳細に説明する。
【００１２】
図１は、本発明の実施形態に係る圧延材巻取温度制御装置１００およびその制御対象である圧延材巻取温度調整ライン１５０の構成の例を模式的に示した図である。ここでは、まず、圧延材巻取温度調整ライン１５０の構成の概要について説明する。
【００１３】
図１に示すように、圧延材巻取温度調整ライン１５０は、圧延機１５２で圧延された温度が９００℃〜１０００℃程度の鋼板１５１（圧延材）を所定の目標温度に冷却する巻取冷却装置１５３と、冷却された鋼板１５１を巻き取るダウンコイラ１５９（圧延材巻取装置）と、ダウンコイラ１５９に巻き取られる直前の鋼板１５１の温度（以下、巻取温度という）を計測する巻取温度計１５８と、を含んで構成される。
【００１４】
巻取冷却装置１５３は、鋼板１５１を上面から冷却する上部冷却装置１５４および鋼板１５１を下面から冷却する下部冷却装置１５５によって構成される。そして、上部冷却装置１５４および下部冷却装置１５５のそれぞれには、鋼板１５１の長手方向（移動方向）に沿って複数（例えば、１５個）のバンク１５６が配設されている。また、それぞれのバンク１５６には、複数の冷却ヘッダー１５７（例えば、鋼板１５１の長手方向に沿って７列、鋼板１５１の幅方向に沿って１０個、合計７０個）が設けられている。各冷却ヘッダー１５７からは、圧延材巻取温度制御装置１００からの指示に従って、所定の水量、水圧の冷却水が放出される
【００１５】
巻取温度計１５８は、巻取冷却装置１５３とダウンコイラ１５９との間に配設され、ダウンコイラ１５９に巻き取られる直前の鋼板１５１の巻取温度を計測する。圧延材巻取温度制御装置１００は、巻取温度計１５８で計測される巻取温度が予め定められた目標巻取温度に一致するように、巻取冷却装置１５３における各冷却ヘッダー１５７からの冷却水の放出の開始および停止を制御する。なお、目標巻取温度は、鋼板１５１の長手方向に沿って一定であるとしてもよく、また、長手方向の各部位で異なった値が設定されたものであってもよい。
【００１６】
続いて、圧延材巻取温度制御装置１００の構成について説明する。図１に示すように、圧延材巻取温度制御装置１００は、冷却ヘッダー１５７の開閉パターンや目標巻取温度などの制御初期値を設定するプリセット部１１０、圧延工程における各種圧延データを収集する圧延データ収集部１３６、巻取温度計１５８で計測される巻取温度を収集する巻取温度収集部１４０、ヘッダー開放応答遅延時間およびヘッダー閉鎖応答遅延時間をそれぞれ計算するヘッダー開放応答遅延算出部１３１およびヘッダー閉鎖応答遅延算出部１３３、冷却ヘッダー１５７の開閉パターンを巻取冷却装置１５３に出力するヘッダー開閉パターン出力部１３５などの機能処理部を含んで構成される。また、圧延材巻取温度制御装置１００は、圧延実績データ記憶部１３７、長手方向実績巻取温度記憶部１４１、ヘッダー開放応答遅延記憶部１３２、ヘッダー閉鎖応答遅延記憶部１３４などの記憶部を有する。
【００１７】
さらに、前記のプリセット部１１０は、機能処理部として、長手方向目標巻取温度決定部１１１と開閉パターンプリセット部１１２とを備え、さらに、記憶部として、板温推定モデル１１３、目標巻取温度記憶部１１４、Ｕパターン記憶部１１５、長手方向目標巻取温度記憶部１１６、ヘッダー開閉パターン記憶部１１７などを含んで構成される。
【００１８】
ここで、プリセット部１１０の長手方向目標巻取温度決定部１１１は、目標巻取温度記憶部１１４に予め格納されている目標巻取温度データ（図２参照）と、Ｕパターン記憶部１１５に予め格納されているＵパターンデータ（図３参照）と、に基づいて、冷却しようとしている鋼板１５１について、その長手方向の目標巻取温度データ（図５参照）を決定する。また、開閉パターンプリセット部１１２は、長手方向目標巻取温度決定部１１１で決定された長手方向の目標巻取温度を実現するために、鋼板１５１の長手方向に分割された制御セクションごとにそれぞれの冷却ヘッダー１５７に対するヘッダー開閉パターンを、板温推定モデル１１３を用いた演算により予め算出する。
【００１９】
図２は、目標巻取温度記憶部１１４に格納されている目標巻取温度データの構成の例を示した図である。図２に示すように、目標巻取温度データは、鋼種（鋼板の種類）それぞれに対し、その鋼種に適した目標巻取温度が対応付けられて構成されている。従って、長手方向目標巻取温度決定部１１１は、まず、冷却対象となる鋼板１５１の鋼種を判定し、目標巻取温度記憶部１１４を参照して、その鋼種に対応付けられた目標巻取温度（Ｔ０）を抽出する。
【００２０】
次に、図３は、Ｕパターン記憶部１１５に格納されているＵパターンデータの構成の例を示した図、図４は、Ｕパターンデータに基づき決定される長手方向目標巻取温度の長手方向の温度プロファイルの例を示した図、図５は、長手方向目標巻取温度記憶部１１６に記憶される長手方向目標巻取温度データの構成の例を示した図である。
ここで、Ｕパターンとは、鋼板１５１がダウンコイラ１５９に巻き付く特性を向上させるなどの目的のために、鋼板１５１の先端部および尾端部分のそれぞれに、数ｍ〜数１０ｍに渡る範囲に設定される長手方向目標巻取温度を、目標巻取温度記憶部１１４から得られる目標巻取温度（Ｔ０）よりも高めに設定した巻取温度パターンのことをいう。
【００２１】
例えば、図３に示すように、Ｕパターンデータは、鋼種、板厚、板幅、鋼板先端部の温度補正量（ΔＴ１）およびその長さ（Ｌ１）、鋼板尾端部の温度補正量（ΔＴ２）およびその長さ（Ｌ２）などのデータによって構成されている。なお、この図３でいう温度補正量（ΔＴ１，ΔＴ２）は、図４に示すように、鋼板１５１の先端および尾端のそれぞれの位置での温度補正量を表す。また、長さ（Ｌ１，Ｌ２）は、鋼板１５１の先端および尾端のそれぞれから温度補正をする領域の長さを表している。
【００２２】
すなわち、鋼板１５１の先端部の温度補正対象領域に設定される長手方向目標巻取温度は、目標巻取温度記憶部１１４から得られる目標巻取温度をＴ０としたとき、Ｔ０＋ΔＴ１からＴ０まで漸減する関数（通常は、直線の関数）で表される。また、鋼板１５１の尾端部の温度補正対象領域に設定される長手方向目標巻取温度は、Ｔ０からＴ０＋ΔＴ２まで漸増する関数（通常は、直線の関数）で表される。
【００２３】
そこで、例えば、冷却対象の鋼板１５１の鋼種がＳＰＨＣ（熱間圧延軟鋼板）、板幅が１２５０ｍｍ、板厚が３．５ｍｍである場合、長手方向目標巻取温度決定部１１１は、目標巻取温度記憶部１１４（図２）およびＵパターン記憶部１１５（図３）を参照して、当該鋼板１５１の鋼種、板厚、板幅に対応付けられた目標巻取温度（６００℃）、鋼板先端部の温度補正量（４０℃）および長さ（２０ｍ）、鋼板尾端部の温度補正量（５０℃）および長さ(２５ｍ）を取得する。さらに、長手方向目標巻取温度決定部１１１は、その取得したデータから、図５に示すような長手方向目標巻取温度のデータを作成し、その作成した長手方向目標巻取温度データを長手方向目標巻取温度記憶部１１６に格納する。
【００２４】
なお、図５に例示した長手方向目標巻取温度データでは、鋼板１５１の長手方向に沿って、１ｍピッチで目標巻取温度が設定されている。すなわち、目標巻取温度として、鋼板１５１の先端０ｍの位置で６４０℃が設定され、徐々に減少し、先端から２０ｍの位置で６００℃となり、それ以降９７５ｍの位置までは、目標巻取温度６００℃が保持される。そして、先端から９７５ｍ（すなわち、尾端の前２５ｍ）の位置を超えると、目標巻取温度は、徐々に増加し、尾端の１０００ｍの位置で６５０℃となる。
【００２５】
図６は、ヘッダー開閉パターン記憶部１１７に記憶されるヘッダー開閉パターンデータの構成の例を示した図である。図６に示すように、ヘッダー開閉パターンデータ（以下、単に、ヘッダー開閉パターンという）は、鋼板１５１が長手方向に、例えば、５ｍの単位で区分されたそれぞれの制御セクションごとに、それぞれのバンク１５６のそれぞれの冷却ヘッダー１５７に対し、その開放または閉鎖を指示するデータ（０：閉鎖、１：開放）である。  なお、このヘッダー開閉パターンデータは、前記したように、開閉パターンプリセット部１１２により算出され、ヘッダー開閉パターン記憶部１１７に格納される。
【００２６】
図７は、長手方向実績巻取温度記憶部１４１に格納されている前回長手方向実績巻取温度１４１ａの構成の例を示した図である。図７に示すように、前回長手方向実績巻取温度１４１ａは、前回圧延された鋼板１５１について、巻取温度計１５８を介して巻取温度収集部１４０によって取得された、例えば、１ｍごとの実績巻取温度によって構成される。
【００２７】
なお、巻取温度収集部１４０は、圧延中の鋼板１５１がダウンコイラ１５９に巻き取られるとき、巻取温度計１５８により検出される鋼板１５１の温度をリアルタイムで取得する。そして、その取得した温度を長手方向巻取温度として、鋼板１５１の位置（先端からの長さ）に対応付け、その都度、長手方向実績巻取温度記憶部１４１に格納する。従って、ここでいう前回長手方向実績巻取温度１４１ａは、長手方向実績巻取温度記憶部１４１にすでに記憶されている前回圧延された鋼板１５１についての長手方向実績巻取温度に他ならない。
【００２８】
図８は、長手方向目標巻取温度および長手方向実績巻取温度の長手方向の温度プロファイルの例を示した図である。図８の例では、長手方向実績巻取温度は、Ｕパターンを表す長手方向目標巻取温度に対して、先端部で高め、尾端部で低めとなっている。
【００２９】
図９は、圧延実績データ記憶部１３７に格納されている前回圧延実績データ１３７ａの構成の例を示した図である。図９に示すように、前回圧延実績データ１３７ａは、前回圧延された鋼板１５１について圧延データ収集部１３６によって取得された、例えば、１ｍピッチの鋼板速度の実績データによって構成される。
【００３０】
なお、圧延データ収集部１３６は、圧延機１５２の出側位置などで、圧延中の鋼板１５１の先端から出側位置までの長さ（以下では、払い出し実績長ともいう）や鋼板速度などをリアルタイムに収集し、その収集した先端からの長さや鋼板速度などを互いに対応付けて、圧延実績データ記憶部１３７に格納する。従って、前回圧延実績データ１３７ａは、圧延実績データ記憶部１３７にすでに記憶されている前回圧延された鋼板１５１についての圧延実績データに他ならない。
【００３１】
再度、図１へ戻って、説明を続ける。前記したように冷却ヘッダー１５７のヘッダー応答遅延は、冷却水タンク（図１に図示せず）における冷却水の水量や水位などにより、時間とともに緩やかに変化する。そこで、ヘッダー開放応答遅延算出部１３１およびヘッダー閉鎖応答遅延算出部１３３は、長手方向実績巻取温度記憶部１４１に格納されている前回長手方向実績巻取温度１４１ａが、長手方向目標巻取温度記憶部１１６に格納されている長手方向目標巻取温度に対してずれているずれの量を、鋼板１５１の長手方向の長さとして算出する。なお、詳細は後記にて説明するが、例えば、前回長手方向実績巻取温度１４１ａと長手方向目標巻取温度の一方を前方または後方に徐々にずらしていったとき、両者の相関係数が最大になったときのずれの量をもって、前回長手方向実績巻取温度１４１ａが長手方向目標巻取温度に対してずれているずれの量とすることができる。
【００３２】
ヘッダー開放応答遅延算出部１３１およびヘッダー閉鎖応答遅延算出部１３３は、それぞれ、以上のようにして算出したずれの量（長さ）を鋼板速度で除算することにより、冷却ヘッダー１５７についてのヘッダー開放応答遅延時間およびヘッダー閉鎖応答遅延時間を得る。
【００３３】
すなわち、ヘッダー開放応答遅延算出部１３１は、長手方向目標巻取温度記憶部１１６に格納されている長手方向目標巻取温度と、長手方向実績巻取温度記憶部１４１に格納されている前回長手方向実績巻取温度１４１ａと、圧延実績データ記憶部１３７に格納されている圧延実績データである鋼板速度と、を用いてヘッダー開放応答遅延時間を算出し、ヘッダー開放応答遅延記憶部１３２へ格納する（詳細後記）。
なお、ヘッダー開放応答遅延時間は、ヘッダー開閉パターン出力部１３５から冷却水の開放指令が冷却ヘッダー１５７へ出力された後、冷却ヘッダー１５７から所定量の冷却水が放出され、その冷却水により鋼板１５１の冷却効果が出始めるまでの時間である。
【００３４】
同様に、ヘッダー閉鎖応答遅延算出部１３３は、長手方向目標巻取温度記憶部１１６に格納されている長手方向目標巻取温度と、長手方向実績巻取温度記憶部１４１に格納されている前回長手方向実績巻取温度と、圧延実績データ記憶部１３７に格納されている圧延実績データの１つである鋼板速度と、を用いてヘッダー閉鎖応答遅延時間を算出し、ヘッダー閉鎖応答遅延記憶部１３４へ格納する（詳細後記）。
なお、ヘッダー閉鎖応答遅延時間は、ヘッダー開閉パターン出力部１３５から冷却水の閉鎖指令が冷却ヘッダー１５７へ出力された後、冷却ヘッダー１５７から冷却水の放出が停止され、鋼板１５１の冷却効果がなくなり始めるまでの時間である。
【００３５】
ヘッダー開閉パターン出力部１３５は、まず、圧延データ収集部１３６によってリアルタイムに収集される現在圧延中の鋼板１５１の払い出し実績長（圧延機１５２の出側位置における鋼板１５１の先端からの長さ）および鋼板速度に基づき、鋼板１５１の長手方向に設定された各制御セクションが冷却ヘッダー１５７の直下に到る時刻（タイミング）を計算する。
【００３６】
さらに、ヘッダー開閉パターン出力部１３５は、ヘッダー開閉パターン記憶部１１７を参照して、冷却ヘッダー１５７の直下に到る各制御セクションに対応付けられたヘッダー開閉パターンを取得する。そして、ヘッダー開閉パターン出力部１３５は、その取得したヘッダー開閉パターンを、そのヘッダー開閉パターンに対応付けられた制御セクションが冷却ヘッダー１５７の直下に到る時刻（タイミング）よりも、ヘッダー開放応答遅延記憶部１３２に記憶されているヘッダー開放応答遅延時間またはヘッダー閉鎖応答遅延記憶部１３４に記憶されているヘッダー閉鎖応答遅延時間分だけ前に、冷却ヘッダー１５７へ出力する。
【００３７】
続いて、冷却ヘッダー１５７の応答遅延時間（ヘッダー開放応答遅延時間およびヘッダー閉鎖応答遅延時間）の詳細について説明する。
図１０は、鋼板１５１の先端部における長手方向目標巻取温度と前回長手方向実績巻取温度１４１ａの関係の第１の例（ケース１）を示した図、図１１は、鋼板１５１の先端部における長手方向目標巻取温度と前回長手方向実績巻取温度１４１ａの関係の第２の例（ケース２）を示した図である。
【００３８】
図１０の第１の例（ケース１）では、鋼板１５１の先端のＵパターン領域（先端からの長さＬ１以内の領域）で前回長手方向実績巻取温度１４１ａが長手方向目標巻取温度より高くなっているため、前回長手方向実績巻取温度１４１ａがＵパターンを考慮しない元々の長手方向目標巻取温度（Ｔ０）に到達するのは、鋼板１５１の先端のＵパターン領域の外側、すなわち、先端からの長さがＬ１を超えた位置になる。
これは、冷却ヘッダー１５７に開放の指令が出力されたものの、冷却ヘッダー１５７の実際のヘッダー開放応答遅延時間が想定よりも大きかったために、冷却効果が現れるまでに時間がかかってしまったことを意味する。
【００３９】
これに対して、図１１の第１の例（ケース２）では、鋼板１５１の先端のＵパターン領域（先端から長さＬ１以内の領域）で、前回長手方向実績巻取温度１４１ａが長手方向目標巻取温度よりも低くなっているため、前回長手方向実績巻取温度１４１ａがＵパターンを考慮しない元々の長手方向目標巻取温度（Ｔ０）に到達するのは、鋼板１５１の先端のＵパターン部分の内側、すなわち、先端からの長さがＬ１を超えない位置（図１１に記載の基点の位置）になる。
これは、冷却ヘッダー１５７に開放の指令が出力されたとき、冷却ヘッダー１５７の実際のヘッダー開放応答遅延時間が小さかったために、冷却効果が想定よりも早く現れてしまったことを意味する。
【００４０】
さらに、図１０および図１１を参照しながら、ヘッダー開放応答遅延時間の算出方法について説明する。ヘッダー開放応答遅延時間は、基本的には、長手方向目標巻取温度に対し、前回長手方向実績巻取温度１４１ａを前方または後方に少しずつずらしながら、両者の相関が最大となったとき、そのずらした長さを鋼板１５１が移動する時間に換算して求めることができる。
【００４１】
例えば、図１０に示したケース１の場合、鋼板１５１の先端から長さ２Ｌ１の位置までの部分の長手方向目標巻取温度を抽出し、同様に、先端から長さ２Ｌ１の位置までの部分の前回長手方向実績巻取温度１４１ａを抽出し、両者の相関をとる。このとき、図１０に示すように、前回長手方向実績巻取温度１４１ａについては、２Ｌ１の長さを維持しながら抽出する範囲を１ｍずつ後方にずらして行く。そして、その相関が最大となったときのずれの長さを鋼板１５１が移動する時間に換算し、ヘッダー開放応答遅延時間とする。
【００４２】
また、図１１に示したケース２場合、前回長手方向実績巻取温度１４１ａが目標巻取温度（Ｔ０）を鋼板１５１の先端からｌ１の長さの位置で下回ったとする。このとき、鋼板１５１の先端から長さ２ｌ１の位置までの部分の前回長手方向実績巻取温度１４１ａを抽出し、同様に、鋼板先端部から長さ２ｌ１の位置までの部分の長手方向目標巻取温度を抽出し、両者の相関をとる。さらに、図１１に示すように、長手方向目標巻取温度については、２ｌ１の長さを維持しながら抽出する範囲を１ｍずつ後方にずらして行く。そして、その相関が最大となったときのずれの長さを鋼板１５１が移動する時間に換算し、負の値のヘッダー開放応答遅延時間とする。
【００４３】
なお、このケース２でのヘッダー開放応答遅延時間の算出方法は、ケース１でのヘッダー開放応答遅延時間の算出方法において、あたかも長手方向目標巻取温度と前回長手方向実績巻取温度１４１ａとを入れ替えたものとみなすことができる
【００４４】
図１２は、ヘッダー開放応答遅延時間が大きい場合に（ケース１）ヘッダー開放応答遅延算出部１３１により実行される処理の流れの例を示した図である。なお、この処理の流れの例では、ヘッダー開放応答遅延時間が図１０に示した方法で算出され、さらに、簡単な学習処理が追加されている。
【００４５】
図１２に示すように、ヘッダー開放応答遅延算出部１３１は、まず、処理繰り返しの回数を表す変数ｋを初期化、すなわち、ｋ＝０とする（ステップＳ１１）。なお、本実施形態では、変数ｋは、長手方向目標巻取温度と前回長手方向実績巻取温度１４１ａとの相関を算出する際、相関を取る対象とする前回長手方向実績巻取温度１４１ａの範囲を後側にずらす長さに相当している（図１０参照）。
【００４６】
次に、ヘッダー開放応答遅延算出部１３１は、長手方向目標巻取温度記憶部１１６から長手方向目標巻取温度（Ｔtgt（ｉ）：ｉ＝１，２，・・・，２Ｌ１）を抽出し、長手方向実績巻取温度記憶部１４１から前回長手方向実績巻取温度（Ｔact（ｊ）：ｊ＝１＋ｋ，２＋ｋ，・・・，Ｌ１＋ｋ，・・・，２Ｌ１＋ｋ）を抽出し、次の式（１）に従って、両者の相関係数Ｃorr（ｋ）を算出する（ステップＳ１２）。
【数１】
2015066587.tif 000003
【００４７】
次に、ヘッダー開放応答遅延算出部１３１は、変数ｋ（処理繰り返しの回数）が０でなければ（ステップＳ１３でＮｏ）、ステップＳ１２で今回算出した相関係数Ｃorr（ｋ）と前回の繰り返し時に算出した相関係数Ｃorr（ｋ−１）とを比較し、その大小を判定する（ステップＳ１４）。
【００４８】
そして、ヘッダー開放応答遅延算出部１３１は、ステップＳ１３で、変数ｋ（処理繰り返しの回数）が０であった場合（ステップＳ１３でＹｅｓ）、または、ステップＳ１４の判定で今回の相関係数Ｃorr（ｋ）が前回の相関係数Ｃorr（ｋ−１）より大きかった場合には（ステップＳ１４でＹｅｓ）、変数ｋをインクリメント、すなわち、ｋ＝ｋ＋１とし（ステップＳ１５）、ステップＳ１２以降の処理を再度実行する。
【００４９】
これに対して、ステップＳ１４の判定で、今回の相関係数Ｃorr（ｋ）が前回の相関係数Ｃorr（ｋ−１）より大きくなかった場合には（ステップＳ１４でＮｏ）、ヘッダー開放応答遅延算出部１３１は、このときの変数ｋの値を、今回ヘッダー開放応答遅延距離（L_delay_open_cur）とする、すなわち、L_delay_open_cur＝ｋとする（ステップＳ１６）。
【００５０】
次に、ヘッダー開放応答遅延算出部１３１は、Vs_aveを平均の鋼板速度としたとき、式（２）に従い、今回ヘッダー開放応答遅延時間（t_delay_open_cur）を算出する（ステップＳ１７）。
【数２】
2015066587.tif 000004
【００５１】
次に、ヘッダー開放応答遅延算出部１３１は、ステップＳ１７で算出された今回ヘッダー開放応答遅延時間（t_delay_open_cur）および前回圧延された鋼板１５１に対して算出された前回ヘッダー開放応答遅延時間（t_delay_open_pre）を按分し、式（３）に従って、ヘッダー開放応答遅延時間（t_delay_open）を算出する（ステップＳ１８）。
t_delay_open＝（１−α）・t_delay_open_pre＋α・t_delay_open_cur  （３）
なお、式（３）において、０＜α＜１であり、αは、しばしば学習係数と呼ばれる。
【００５２】
次に、ヘッダー開放応答遅延算出部１３１は、ステップＳ１８で算出したヘッダー開放応答遅延時間（t_delay_open）をヘッダー開放応答遅延記憶部１３２に格納して（ステップＳ１９）、図１２の処理を終了する。なお、ヘッダー開放応答遅延記憶部１３２に格納されたヘッダー開放応答遅延時間（t_delay_open）は、次回に新たな鋼板１５１が圧延されるときに、前回ヘッダー開放応答遅延時間（t_delay_open_pre）として用いられる。
【００５３】
なお、以上に説明した処理の流れでは、ステップＳ１６において今回ヘッダー開放応答遅延距離（L_delay_open_cur）を求める場合、変数ｋとともに大きくなる相関係数Ｃorr（ｋ）が減少に転じたとき、そのときの変数ｋの値をL_delay_open_curとしている。これに対し、例えば、ｋ＝１，２，・・・，Ｌ１のすべてについて相関係数Ｃorr（ｋ）を算出し、その中から最大の相関係数Ｃorr（ｋ）を与える変数ｋを、L_delay_open_curとしてもよい。
【００５４】
また、以上に説明した処理の流れでは、ステップＳ１６では、今回ヘッダー開放応答遅延時間（t_delay_open_cur）と前回ヘッダー開放応答遅延時間（t_delay_open_pre）とを按分して、ヘッダー開放応答遅延時間（t_delay_open）が算出されているが、ステップＳ１８の処理を省略するとしてもよい。その場合には、今回ヘッダー開放応答遅延時間（t_delay_open_cur）が、そのままヘッダー開放応答遅延時間（t_delay_open）となる。
【００５５】
以上、図１２を用いて説明した処理の流れは、ヘッダー開放応答遅延時間が小さい場合にも（ケース２：図１１参照）、その一部を変更するだけで同様に適用可能である。前記したように、ケース１（図１０参照）とケース２（図１１参照）とでは、長手方向目標巻取温度と前回長手方向実績巻取温度１４１ａが入れ替わったものとみなすことができる。従って、図１２に示した処理の流れにおいては、長手方向目標巻取温度と前回長手方向実績巻取温度１４１ａを互いに入れ替えて読み、長さＬ１を長さｌ１と読み替えればよい。
【００５６】
さらに、ヘッダー閉鎖応答遅延算出部１３３により実行される処理についても、図１２に示した処理の流れとほぼ同様の処理の流れとなる。
ヘッダー閉鎖応答遅延時間（t_delay_close）は、冷却ヘッダー１５７への開閉指令が閉である場合、冷却ヘッダー１５７からの冷却水の放水が停止するときの応答遅延である。鋼板１５１の尾端部のＵパターン領域では、長手方向目標巻取温度がＵパターンの中間部分の長手方向目標温度（Ｔ０）から徐々に高くなっていくため、冷却ヘッダー１５７には、徐々に開を閉にする指令が多く出力されるようになる。従って、ヘッダー閉鎖応答遅延時間は、鋼板１５１の尾端部のＵパターン領域を含む領域における長手方向目標温度と前回長手方向実績巻取温度１４１ａとの関係から求めることができる。
【００５７】
その場合、鋼板１５１の先端部と尾端部とを互いに逆とみなし、さらに、時間軸も逆とみなすことにすれば、図１２の処理をほぼそのままヘッダー閉鎖応答遅延算出部１３３の処理として利用可能なことが分かる。そして、そのような処理によりヘッダー閉鎖応答遅延算出部１３３で求められたヘッダー閉鎖応答遅延時間（t_delay_close）は、ヘッダー閉鎖応答遅延記憶部１３４に格納される。
【００５８】
図１３は、ヘッダー開閉パターン出力部１３５により実行される処理の流れの例を示した図である。鋼板１５１が冷却開始される場合、冷却ヘッダー１５７は、通常、閉の状態で待機している。そこで、ヘッダー開閉パターン出力部１３５は、まず、ヘッダー応答遅延時間（t_delay）の初期値としてヘッダー開放応答遅延時間（t_delay_open）を設定、すなわち、t_delay＝t_delay_openとする（ステップＳ２１）。
【００５９】
次に、ヘッダー開閉パターン出力部１３５は、圧延データ収集部１３６で取得され、圧延実績データ記憶部１３７に格納された、そのとき圧延中の鋼板１５１の鋼板速度および圧延機１５２からの払い出し実績長を取得する（ステップＳ２２）。ここで、鋼板１５１の払い出し実績長とは、圧延された鋼板１５１の先端から圧延機１５２の出側までの長さである。
【００６０】
ここで、圧延機１５２の出側から各冷却ヘッダー１５７までの距離は、設備定数として既知である。従って、ヘッダー開閉パターン出力部１３５は、圧延データ取得部１３６によって取得された払い出し実績長とこの既知である圧延機１５２の出側から各冷却ヘッダー１５７までの距離を用いて、そのとき冷却ヘッダー１５７の直下を通過しつつある鋼板１５１の制御セクションのセクション番号を求めることができる。そして、同様に、そのときからヘッダー応答遅延時間（t_delay）後に冷却ヘッダー１５７直下に到達する制御セクションのセクション番号を求めることができる。
【００６１】
そこで、ヘッダー開閉パターン出力部１３５は、ヘッダー開閉パターン記憶部１１７を参照することにより、そのときからヘッダー応答遅延時間（t_delay）後に冷却ヘッダー１５７直下に到達する制御セクションに対応付けられたヘッダー開閉パターンを取得する（ステップＳ２３）。
【００６２】
次に、ヘッダー開閉パターン出力部１３５は、その取得したヘッダー開閉パターンが開であるか、または、閉であるかを判定する（ステップＳ２４）。そして、そのヘッダー開閉パターンが開であった場合には（ステップＳ２４で開）、ヘッダー開閉パターン出力部１３５は、そのヘッダー開閉パターンにより開が指示された冷却ヘッダー１５７のヘッダー応答遅延時間（t_delay）として、ヘッダー開放応答遅延時間（t_delay_open）を設定、すなわち、t_delay＝t_delay_openとする（ステップＳ２５）。
【００６３】
一方、ステップＳ２３で取得したヘッダー開閉パターンが閉であった場合には（ステップＳ２４で閉）、ヘッダー開閉パターン出力部１３５は、そのヘッダー開閉パターンにより閉が指示された冷却ヘッダー１５７のヘッダー応答遅延時間（t_delay）として、ヘッダー閉鎖応答遅延時間（t_delay_close）を設定、すなわち、t_delay＝t_delay_closeとする（ステップＳ２６）。
【００６４】
次に、ヘッダー開閉パターン出力部１３５は、ヘッダー応答遅延時間（t_delay）後に冷却ヘッダー１５７直下に到達する制御セクションのヘッダー開閉パターンを、巻取冷却装置１５３に出力する（ステップＳ２７）。
【００６５】
そして、ヘッダー開閉パターン出力部１３５は、鋼板１５１の巻取が完了していない場合には（ステップＳ２８でＮｏ）、ステップＳ２２〜ステップＳ２８の処理を繰り返し継続し、鋼板１５１の巻取が完了したところで（ステップＳ２８でＹｅｓ）、図１３のヘッダー開閉パターン出力部１３５による処理を終了する。
【００６６】
以上、図１３に示したヘッダー開閉パターン出力部１３５の処理のポイントは、ヘッダー開閉パターン出力部１３５がヘッダー開閉パターンを出力するタイミングは、そのヘッダー開閉パターンに対応付けられた制御セクションが冷却ヘッダー１５７の設置位置に到達するタイミング（時刻）よりも、ヘッダー応答遅延時間（t_delay）分前のタイミング（時刻）であることを意味している。しかも、そのタイミングは、ヘッダー開閉パターンで開放が指定されている冷却ヘッダー１５７と、ヘッダー開閉パターンで閉鎖が指定されている冷却ヘッダー１５７とでは、それぞれ別々のタイミングであることを表している。
【００６７】
以上、本実施形態によれば、とくに図１２に示した処理の流れから分かるように、鋼板１５１を圧延するたびに、長手方向目標巻取温度（Ｔtgt（ｉ））と前回長手方向実績巻取温度（Ｔact（ｊ））との相関係数が最大になるときのずれの大きさ（距離）を求め、さらに、そのずれの大きさ（距離）を時間に換算し、ヘッダー応答遅延時間（t_delay）を求めている。すなわち、本実施形態では、ヘッダー応答遅延時間（t_delay）は、鋼板１５１が巻取冷却装置１５３で冷却される実態に応じて決定されている。これは、まさにヘッダー応答遅延時間（t_delay）が冷却水タンク内の水量や水位などに起因して変化することに対処したものに他ならない。従って、本実施形態に係る圧延材巻取温度制御装置１００は、ヘッダー応答遅延時間（t_delay）が変化しても、精度の高い巻取温度制御を実現することができる。
【００６８】
（実施形態の変形例１）
圧延材の巻取温度制御方法として、鋼板１５１などの圧延材の先端部や尾端部に対して冷却を行わない無注水制御を施す方法がある。図１４は、鋼板１５１の先端部および尾端部にＵパターン領域を設けずに無注水領域を設けた場合の長手方向目標巻取温度の例を示した図である。この場合、長手方向目標巻取温度決定部１１１は、鋼種、板厚などの層別により予め定められた無注水制御の有無や、無注水領域の長さＬ３，Ｌ４などに従って、長手方向目標巻取温度を決定し、その決定した長手方向目標巻取温度を長手方向目標巻取温度記憶部１１６に格納する。
【００６９】
このような無注水制御を行う場合にも、ヘッダー開放応答遅延算出部１３１およびヘッダー閉鎖応答遅延算出部１３３は、前記の実施形態の場合とほぼ同様に、長手方向目標巻取温度と前回長手方向実績巻取温度とを比較し、両者の相関係数が最大となるずれの距離を求め、さらに、そのずれの距離を鋼板速度を用いて時間に換算し、ヘッダー応答遅延時間を求める。従って、この実施形態の変形例１でも、前記の実施形態と同様の効果を得ることができる。
【００７０】
（実施形態の変形例２）
図１５は、鋼板１５１の先端部および尾端部に設けたＵパターン領域の一部に無注水領域を設けた場合の長手方向目標巻取温度の例を示した図である。この場合、長手方向目標巻取温度決定部１１１は、鋼種、板厚などの層別により予め定められた無注水制御の有無や、無注水領域の長さＬ３，Ｌ４、Ｕパターンデータに従って、長手方向目標巻取温度を決定し、長手方向目標巻取温度記憶部１１６に格納する。
【００７１】
ちなみに、図１５の例では、鋼板１５１の先端から長さＬ３の領域および尾端から長さＬ４の領域に無注水領域が設けられ、さらに、これら無注水領域を除いた鋼板１５１に対して、その先端側の長さＬ１の領域および尾端側の長さＬ２の領域からなるＵパターン領域が設けられている。
【００７２】
このような無注水領域とＵパターン領域が共存する場合にも、ヘッダー開放応答遅延算出部１３１およびヘッダー閉鎖応答遅延算出部１３３は、前記の実施形態の場合とほぼ同様に、長手方向目標巻取温度と前回長手方向実績巻取温度とを比較し、両者の相関係数が最大となるずれの距離を求め、さらに、そのずれの距離を鋼板速度を用いて時間に換算し、ヘッダー応答遅延時間を求めることができる。従って、この実施形態の変形例２でも、前記の実施形態と同様の効果を得ることができる。
【００７３】
（実施形態の変形例３）
前記した実施形態では、ヘッダー開放応答遅延算出部１３１およびヘッダー閉鎖応答遅延算出部１３３は、ヘッダー応答遅延を時間で表し、そのヘッダー開放応答遅延時間およびヘッダー閉鎖応答遅延時間をヘッダー開放応答遅延記憶部１３２およびヘッダー閉鎖応答遅延記憶部１３４にそれぞれ格納している。それに対し、この実施形態の変形例３では、ヘッダー開放応答遅延算出部１３１およびヘッダー閉鎖応答遅延算出部１３３は、ヘッダー応答遅延を鋼板１５１の移動距離で表し、その移動距離で表したヘッダー開放応答遅延およびヘッダー閉鎖応答遅延をヘッダー開放応答遅延記憶部１３２およびヘッダー閉鎖応答遅延記憶部１３４にそれぞれ格納するものとする。
【００７４】
このように処理の途中経過のデータを変えたとしても、両者は、鋼板速度を介して１対１の換算関係が保持されるので、ヘッダー開閉パターン出力部１３５の処理は、大きな影響を受けない。そのため、この実施形態の変形例３でも、前記の実施形態と同様の効果を得ることができる。
【００７５】
（実施形態の変形例４）
開閉パターンプリセット部１１２が鋼板１５１の長手方向に対して冷却ヘッダー１５７の開閉パターンを決定する際、同じ長手方向目標巻取温度を実現する場合であっても、鋼種、板厚などの層別で、例えば、圧延機１５２側のバンク１５６から冷却ヘッダー１５７を開にする急冷や、ダウンコイラ１５９側のバンク１５６から冷却ヘッダー１５７を開にする遅冷など種々の冷却パターンが適用される場合がある。ここで、バンク１５６ごとに冷却ヘッダー１５７の応答遅延にばらつきがみられる場合には、このばらつきがそのまま巻取温度制御の精度低下につながる。
【００７６】
そこで、この実施形態の変形例４では、ヘッダー開放応答遅延記憶部１３２およびヘッダー閉鎖応答遅延記憶部１３４は、ヘッダー開放応答遅延時間およびヘッダー閉鎖応答遅延時間を鋼種、板厚、板幅、冷却パターンなどにより層別化して管理する。
【００７７】
図１６は、ヘッダー開放応答遅延記憶部１３２に記憶される層別化されたヘッダー開放応答遅延データの例を示した図である。図１６では、ヘッダー開放応答遅延時間が鋼種、板厚、板幅、冷却パターン別に細かく管理されていることが分かる。また、とくに図示をしないが、ヘッダー閉鎖応答遅延記憶部１３４に記憶されるヘッダー閉鎖応答遅延時間についても同様に層別化して管理する。
【００７８】
以上、実施形態の変形例４では、ヘッダー応答遅延（ヘッダー開放応答遅延時間およびヘッダー閉鎖応答遅延時間）が層別に管理されるので、より精度の高い巻取温度制御が可能になる。
【００７９】
なお、本発明は、以上に説明した実施形態に限定されるものでなく、さらに様々な変形例が含まれる。例えば、前記の実施形態は、本発明を分かりやすく説明するために、詳細に説明したものであり、必ずしも説明したすべての構成を備えるものに限定されるものではない。また、ある実施形態の構成の一部を他の実施形態の構成の一部で置き換えることが可能であり、さらに、ある実施形態の構成に他の実施形態の構成の一部または全部を加えることも可能である。
【符号の説明】
【００８０】
１００  圧延材巻取温度制御装置
１１０  プリセット部
１１１  長手方向目標巻取温度決定部
１１２  開閉パターンプリセット部
１１３  板温推定モデル
１１４  目標巻取温度記憶部
１１５  Ｕパターン記憶部
１１６  長手方向目標巻取温度記憶部
１１７  ヘッダー開閉パターン記憶部
１３１  ヘッダー開放応答遅延算出部（ヘッダー応答遅延算出部）
１３２  ヘッダー開放応答遅延記憶部
１３３  ヘッダー閉鎖応答遅延算出部（ヘッダー応答遅延算出部）
１３４  ヘッダー閉鎖応答遅延記憶部
１３５  ヘッダー開閉パターン出力部
１３６  圧延データ収集部
１３７  圧延実績データ記憶部
１３７ａ  前回圧延実績データ
１４０  巻取温度収集部
１４１  長手方向実績巻取温度記憶部
１４１ａ  前回長手方向実績巻取温度（長手方向実績巻取温度）
１５０  圧延材巻取温度調整ライン
１５１  鋼板
１５２  圧延機
１５３  巻取冷却装置
１５４  上部冷却装置
１５５  下部冷却装置
１５６  バンク
１５７  冷却ヘッダー
１５８  巻取温度計
１５９  ダウンコイラ
【図１】
2015066587.tif 000005
【図２】
2015066587.tif 000006
【図３】
2015066587.tif 000007
【図４】
2015066587.tif 000008
【図５】
2015066587.tif 000009
【図６】
2015066587.tif 000010
【図７】
2015066587.tif 000011
【図８】
2015066587.tif 000012
【図９】
2015066587.tif 000013
【図１０】
2015066587.tif 000014
【図１１】
2015066587.tif 000015
【図１２】
2015066587.tif 000016
【図１３】
2015066587.tif 000017
【図１４】
2015066587.tif 000018
【図１５】
2015066587.tif 000019
【図１６】
2015066587.tif 000020